(57)【要約】【課題】ミューティング回路の特性を、ユーザの要求仕様に合わせてより詳細に設定することを可能とする。【解決手段】ミューティング回路１１は、傾きの異なる複数の直線を結んだ１本の折れ線を用いてミューティング制御を行う。受信信号強度が折れ線の傾きが変化する変化点Ｘ２より大きいときには、傾きの小さい直線上の点をソフトミュート制御信号として出力する。また、受信強度信号が変化点Ｘ２の座標より小さいときには、傾きが大きい直線上の点の値をソフトミュート制御信号として出力して増幅器の利得を急速に減少させる。【選択図】      図２
2007028093.tif 000002
【特許請求の範囲】
【請求項１】
無線信号を復調して得られる音声信号をデジタルのミューティング制御信号により制御するミューティング回路であって、
受信信号の受信信号強度を検出する受信信号強度検出回路と、
前記受信信号強度と前記ミューティング制御信号を対応づけた、傾きの異なる複数の直線を結んだ折れ線に基づいて前記ミューティング制御信号を算出する演算回路とを備えるミューティング回路。
【請求項２】
前記演算回路は、前記受信信号強度が第１の所定値より小さく、前記折れ線の変化点である第２の所定値以上の範囲内にあるときには、前記受信信号強度に対する変化割合の小さいミューティング制御信号を算出し、前記受信信号強度が前記第２の所定値より小さいときには、前記受信信号強度に対する変化割合の大きいミューティング制御信号を算出する請求項１記載のミューティング回路。
【請求項３】
前記演算回路は、前記折れ線の傾きの変化点を任意に変更可能なことを特徴とする請求項１記載のミューティング回路。
【請求項４】
前記受信信号強度を示す信号をＸ軸、前記ミューティング制御信号をＹ軸に表したときに、Ｘ，Ｙ座標の原点から前記折れ線がＸ軸と交差する点までの距離を示す第１のオフセット値と、前記折れ線がＸ軸と交差する点から前記折れ線の傾きが変化する変化点までの距離を示す第２のオフセット値と、前記複数の直線の傾きとして二つの傾きを記憶する記憶手段を有し、
前記記憶手段に記憶する第１及び第２のオフセット値と前記傾きを変更することで、ミューティング開始点である第１の所定値と前記折れ線の傾きの変化点である第２の所定値とを任意に設定可能にした請求項２記載のミューティング回路。
【発明の詳細な説明】
【技術分野】
【０００１】
本発明は、弱電界時のノイズ出力を抑制するミューティング回路に関する。
【背景技術】
【０００２】
ＦＭ受信機では、弱電界時にＦＭ信号を復調した信号を増幅してそのまま出力すると、ノイズも増幅されて出力されるために非常に耳障りな音となる。そのため無線信号の受信状態を示す電界強度を検出して、電界強度が基準値以下のときには、増幅器の利得を下げてノイズの出力を抑制することが行われている。このような弱電界時のノイズを抑制する回路をミューティング回路と呼んでいる。
【０００３】
特許文献１には、受信電界強度を検出するＳメータの出力をオペアンプの一方の入力端子に入力し、可変抵抗を他方の入力端子に接続し、オペアンプの出力により低周波増幅器の利得を制御するミューティング回路が記載されている。特許文献１の発明は、可変抵抗の値を変化させることで低周波増幅器の利得の制御を開始する制御開始点の電圧を変化させることができる。
【０００４】
上記のミューティング回路において、受信電界強度の変化に対して制御電圧の変化を大きく設計した場合には、受信電界強度が基準値をわずかに下回ったときでも、制御電圧が大きく変化して低周波増幅器の利得が大幅に変化する。その結果、音声信号の大きさが急に変化するので聴覚上の違和感が生じるという問題点がある。また、受信電界強度の変化に対して制御電圧の変化を小さく設計した場合には、受信電界強度が低下したときのノイズの抑制が不十分になるという問題点があった。
【特許文献１】特開平８−１８４６８号公報
【発明の開示】
【発明が解決しようとする課題】
【０００５】
本発明の課題は、ミューティング回路の特性を、ユーザの要求仕様に合わせてより詳細に設定することを可能とすることである。
【課題を解決するための手段】
【０００６】
本発明のミューティング回路は、無線信号を復調して得られる音声信号をデジタルのミューティング制御信号により制御するミューティング回路であって、受信信号の受信信号強度を検出する受信信号強度検出回路と、前記受信信号強度と前記ミューティング制御信号を対応づけた、傾きの異なる複数の直線を結んだ折れ線に基づいて前記ミューティング制御信号を算出する演算回路とを備える。
【０００７】
この発明によれば、ミューティング回路の特性を、ユーザの要求仕様に合わせてより詳細に設定することが可能となる。
上記の発明のミューティング回路において、前記演算回路は、前記受信信号強度が第１の所定値より小さく、前記折れ線の変化点である第２の所定値以上の範囲内にあるときには、前記受信信号強度に対する変化割合の小さいミューティング制御信号を算出し、前記受信信号強度が前記第２の所定値より小さいときには、前記受信信号強度に対する変化割合の大きいミューティング制御信号を算出する。
【０００８】
このように構成することで、ミューティング開始点と傾きが変化する変化点を任意に設定することで所望のミューティング制御特性を実現できる。
上記の発明のミューティング回路において、前記演算回路は前記折れ線の傾きの変化点を任意に変更可能にする。
【０００９】
このように構成することで、ミューティング制御信号を算出するための折れ線の傾きの変化点を任意に設定できるのでユーザが望むミューティング制御特性を実現できる。
上記の発明のミューティング回路において、前記受信信号強度を示す信号をＸ軸、前記ミューティング制御信号をＹ軸に表したときに、Ｘ，Ｙ座標の原点から前記折れ線がＸ軸と交差する点までの距離を示す第１のオフセット値と、前記折れ線がＸ軸と交差する点から前記折れ線の傾きが変化する変化点までの距離を示す第２のオフセット値と、前記複数の直線の傾きとして二つの傾きを記憶する記憶手段を有し、前記記憶手段に記憶する第１及び第２のオフセット値と前記傾きを変更することでミューティングの開始点である第１の所定値と前記折れ線の傾きの変化点である第２の所定値を任意に設定可能にする。
【００１０】
このように構成することで、第１及び第２のオフセット値と傾きを変更することで、ミューティングを開始する開始点とミューティング制御特性の傾きの変化点を任意に設定することができる。
【発明の効果】
【００１１】
本発明によれば、ミューティング回路の特性を、ユーザの要求仕様に合わせてより詳細に設定することが可能となる。
【発明を実施するための最良の形態】
【００１２】
以下、本発明の実施の形態を図面を参照して説明する。実施の形態のミューティング回路は、例えば、ＦＭ受信機に搭載され、ＦＭ信号を復調した音声信号を増幅する増幅器の利得を受信信号強度に基づいて制御して、ノイズが大きくなった場合にはＦＭ受信機で再生される音声信号を抑制する。
【００１３】
図１は、実施の形態のミューティング回路を含むＦＭラジオ受信機の回路ブロック図である。
図１に示すＦＭラジオ受信機は、スーパヘテロダイン方式のラジオ受信機の主要部であり、受信したＦＭ放送信号からステレオ信号を生成するためのＲＦ（Ｒａｄｉｏ Ｆｒｅｑｕｅｎｃｙ)部２、ＩＦ（Ｉｎｔｅｒｍｅｄｉａｔｅ  Ｆｒｅｑｕｅｎｃｙ）部３，リミッタアンプ４，ＦＭ復調部５、増幅器６，ステレオ復調部７と、受信信号強度検出回路（ＲＳＳＩ回路）８と、ＲＳＳＩ回路８で検出した受信信号強度信号（ＲＳＳＩ：Received Signal Strength Indicator、以下ＲＳＳＩと呼ぶ）に応じて増幅器６の利得を制御するミューティング回路１１とからなる。
【００１４】
アンテナ１で受信された無線信号はＲＦ部２により増幅され、ＩＦ部３により局部発振回路の発振信号と混合されてＩＦ信号に変換される。
ＩＦ信号はリミッタアンプ４で振幅が制限され、ＦＭ復調部５でＦＭ検波が行われ、増幅器６を介してステレオ復調部７に出力される。ステレオ復調部７は、ＦＭ信号からステレオ信号を生成しスピーカ等に出力する。
【００１５】
リミッタアンプ４の出力信号はＲＳＳＩ回路８にも出力され、ＲＳＳＩ回路８において受信信号強度が検出され、検出された受信信号強度はミューティング回路１１に出力される。
【００１６】
ミューティング回路１１は、受信信号強度に応じたデジタルのソフトミュート制御信号を増幅器６に出力して利得を制御する。
図２は、ミューティング回路１１のブロック図である。図２には、ＲＳＳＩ回路８も併せて示してある。
【００１７】
ミューティング回路１１は、ソフトミュート制御レジスタ１２，１３と演算回路１５からなる。ミューティング回路１１は、図３に示すような、受信信号強度に対する変化割合が異なる２つのソフトミュート制御信号特性に基づいてミューティング制御を行う。すなわち、受信信号強度が所定値Ｘ１（第１の所定値）以下となったときには、変化割合が小さい（傾きｍ２）ソフトミュート制御信号（ミューティング制御信号）を増幅器６に出力し、増幅器の利得を徐々に減少させて音声信号を抑制する。さらに、受信信号強度が所定値Ｘ１よりも小さい所定値Ｘ２（第２の所定値）より小さくなると、変化割合が大きい（傾きｍ１）ソフトミュート制御信号を増幅器６に出力して利得を急速に減少させ、音声信号を抑制する。
【００１８】
図２において、ソフトミュート制御レジスタ１２及び１３は、デジタルのオフセット値Ｏｆｔ１とＯｆｔ２を記憶するレジスタ（記憶手段に対応する）である。ソフトミュート制御レジスタ１２は、図３のＸ座標（ＲＳＳＩ），Ｙ座標（ソフトミュート制御信号）の原点からのＸ軸上の距離を示すデジタルのオフセット値Ｏｆｔ１を記憶し、記憶してあるオフセット値Ｏｆｔ１を演算回路１５に出力する。
【００１９】
ソフトミュートレジスタ１３は、上記のオフセット値Ｏｆｔ１により定まる点から、ＲＳＳＩに対するソフトミュート制御信号の変化割合が変化するＲＳＳＩの所定値Ｘ２までのＸ軸上の距離を示すデジタルのオフセット値Ｏｆｔ２を記憶し、記憶してあるオフセット値Ｏｆｔ２を演算回路１５に出力する。
【００２０】
演算回路１５、ソフトミュート制御レジスタ１２及び１３から出力されるオフセット値Ｏｆｔ１及びＯｆｔ２と、予め内部のハードウェア回路で設定されている２つの直線の傾きｍ１，ｍ２（または任意に設定可能な直線の傾きｍ１，ｍ２）とに基づいて、図２に示す変化ポイントＸ２とソフトミュート開始ポイント（ミューティング開始点）Ｘ１を算出する。
【００２１】
ここで、図３を参照してオフセット値Ｏｆｔ１とＯｆｔ２と直線の傾きｍ１，ｍ２から算出される折れ線とソフトミュート開始ポイントＸ１及び変化ポイントＸ２について説明する。
【００２２】
演算回路１５は、オフセット値Ｏｆｔ１とＯｆｔ２が設定されると、図３のＸ，Ｙ座標の原点からオフセット値Ｏｆｔ１分離れた点を通る傾きｍ１の直線と、オフセット値Ｏｆｔ１とオフセット値Ｏｆｔ２を加算したＸ軸上の点を通るＹ軸と平行な直線とが交差する点を変化ポイントＸ２の座標として算出する。また、その変化ポイントＸ２を通る傾きｍ２の直線上で、ソフトミュート制御信号のＹ軸上の所定値ａを通る点をソフトミュート開始ポイントＸ１として算出する。
【００２３】
演算回路１５は、上記の演算により算出した傾きｍ１とｍ２の直線を結んだ折れ線の方程式と、ソフトミュート開始ポイントＸ１と変化ポイントＸ２を内部のレジスタに記憶しておく。
【００２４】
さらに、演算回路１５は、ＲＳＳＩ回路８から出力されるＲＳＳＩ値をデジタル値に変換し、そのデジタル値と演算により求めたソフトミュート開始ポイントＸ１及び変化ポイントＸ２とを比較し、そのときのＲＳＳＩの値から求められる傾きｍ２の直線上の点、あるいは傾きｍ２より大きい傾きｍ１の直線上の点から得られる値をデジタルのソフトミュート制御信号として出力する。
【００２５】
図３に実線で示す折れ線は、傾きｍ１の直線と傾きｍ２の直線と、オフセット値Ｏｆｔ１とＯｆｔ２とから算出される折れ線を示している。図３に示す折れ線とＲＳＳＩの値から求められる折れ線上の点のＹ座標の値がソフトミュート制御信号として算出される。
【００２６】
ここで、演算回路１５において、ソフトミュート制御信号を生成する処理について、図４のフローチャートを参照して説明する。
演算回路１５は、ＲＳＳＩの値がソフトミュート開始ポイントＸ１の値より大きいか否かを判別する（図４，Ｓ１１）。ＲＳＳＩの値がソフトミュート開始ポイントＸ１の値より大きいときには、ソフトミュート制御信号の所定値ａを増幅器に出力する。これにより、増幅器の利得は所定値ａにより定まる値に保たれるのでミューティングは行われない。
【００２７】
ＲＳＳＩの値がソフトミュート開始ポイントＸ１の値以下と判定された場合には（Ｓ１１，ＮＯ）、ステップＳ１２に進み、ＲＳＳＩの値が変化ポイントＸ２の値より大きいか否かを判別する。
【００２８】
ステップＳ１２において、ＲＳＳＩの値が変化ポイントＸ２の値より大きいと判定された場合（Ｓ１２，ＹＥＳ）、つまりＲＳＳＩの値がソフトミュート開始ポイントＸ１の値より小さく、かつ変化ポイントＸ２の値より大きいときには、図３の折れ線の傾きｍ２の直線上で、Ｘ軸上のＲＳＳＩの値により定まる点のＹ座標の値をソフトミュート制御信号として出力する。
【００２９】
ステップＳ１２において、ＲＳＳＩの値が変化ポイントＸ２の値以下と判定された場合には（Ｓ１２，ＮＯ）、ステップＳ１３に進み、ＲＳＳＩの値がオフセット値Ｏｆｔ１より大きいか否かを判別する。
【００３０】
ステップＳ１３において、ＲＳＳＩの値がオフセット値Ｏｆｔ１より大きいと判定された場合（Ｓ１３，ＹＥＳ）、つまり、ＲＳＳＩの値が変化ポイントＸ２の値より小さく、かつオフセット値Ｏｆｔ１の値より大きいときには、図３のオフセット値Ｏｆｔ１の点を通る傾きｍ１の直線上で、Ｘ軸上のＲＳＳＩの値により定まる点のＹ座標の値をソフトミュート制御信号として出力する。
【００３１】
ステップＳ１３において、ＲＳＳＩの値がオフセット値Ｏｆｔ１以下と判定された場合には（Ｓ１３，ＮＯ）、ソフトミュート制御信号として「０」を出力する。
上述した実施の形態は、ＲＳＳＩの値とソフトミュート制御信号とを対応づけた、傾きの異なる複数の直線を結んだ折れ線からＲＳＳＩの値に対応するソフトミュート制御信号を算出している。ＲＳＳＩの値がソフトミュート開始ポイントＸ１から変化ポイントＸ２までの範囲では、折れ線の傾きｍ２を小さくすることで、ＲＳＳＩの値の変化量に対するソフトミュート制御信号の変化量を少なくし、ミューティングが穏やかに働くようにできる。また、ＲＳＳＩの値が変化ポイントＸ２より小さい範囲では、折れ線の傾きｍ１（ｍ１＞ｍ２）を大きくすることで、ＲＳＳＩの変化量に対するソフトミュート制御信号の変化量を多くして、ミューティングのかかり方を大きくすることができる。
【００３２】
従って、ソフトミュート開始点から一定範囲では、ＲＳＳＩの値の変化による音声信号の変化が小さくなるので聴覚上の違和感を減らすことができる。さらに、弱電界時にはＦＭ受信機で再生される音声信号を十分に抑制できる。
【００３３】
また、上述した実施の形態によれば、オフセット値Ｏｆｔ１とＯｆｔ２を変化させることで、傾きが変化する変化ポイントを所望の位置に設定することができる。さらに、直線の傾きｍ１，ｍ２の値を任意の値に設定し、オフセット値Ｏｆｔ１とＯｆｔ２を任意の値に設定することで、ユーザが所望するソフトミュート開始ポイントＸ１からミューティングが開始され、所望の変化ポイントＸ２から傾きが変化するミューティング制御特性を実現することができる。なお、ユーザとは、ＦＭ受信機の回路の設計者を意味する。
【００３４】
上述した実施の形態では、ＲＳＳＩの値をＸ軸、ソフトミュート制御信号の値をＹ軸に割り当てたときのＸ，Ｙ座標の原点からのＸ軸上の距離をオフセット値Ｏｆｔ１、Ｏｆｔ２として設定したが、この方法に限らない。例えば、ソフトミュート開始ポイントの座標と、その点を基準とした変化ポイントまでのＸ軸上の距離をオフセット値として設定しても良い。あるいは、ソフトミュート開始ポイントＸ１と変化ポイントＸ２の座標を直接設定するようにしても良い。
【図面の簡単な説明】
【００３５】
【図１】ＦＭ受信機の回路ブロック図である。
【図２】ミューティング回路のブロック図である。
【図３】実施の形態のソフトミュート制御特性を示す図である。
【図４】ソフトミュート制御信号を生成する処理のフローチャートである。
【符号の説明】
【００３６】
６            増幅器
８            ＲＳＳＩ回路
１１            ミューティング回路
１２，１３      ソフトミュート制御レジスタ
１５            演算回路
【図１】
2007028093.tif 000003
【図２】
2007028093.tif 000004
【図３】
2007028093.tif 000005
【図４】
2007028093.tif 000006